(57)【要約】【課題】小型化を図るとともに固体物の脱液体の確実性を向上させることができる脱液体装置を得る。【解決手段】水が付着したパチンコ玉３と衝突する衝突体６と、この衝突体６をパチンコ玉３に衝突させる衝突手段７と、パチンコ玉３を保持する保持部４と、保持部４にパチンコ玉３を供給する供給部５とを備え、衝突手段７は、衝突体６で、保持部４に保持されたパチンコ玉３を打撃して、保持部４からパチンコ玉３を突き飛ばすことで、パチンコ玉３から水の少なくとも一部を分離させる。【選択図】図１
2010259537.tif 000002
【特許請求の範囲】
【請求項１】
液体が付着した固体物と衝突する第１の衝突部と、
前記固体物または前記第１の衝突部の何れか一方を他方に衝突させる衝突手段とを備え、
前記一方を前記他方に衝突させることで、前記固体物から前記液体の少なくとも一部を分離させることを特徴とする脱液体装置。
【請求項２】
前記固体物を保持する保持部と、
前記保持部に複数の前記固体物を順次連続的に供給する供給部とをさらに備え、
前記衝突手段は、前記第１の衝突部で、前記保持部に保持された前記固体物を打撃して、前記保持部から前記固体物を突き飛ばすことを特徴とする請求項１に記載の脱液体装置。
【請求項３】
前記衝突手段に複数の前記固体物を順次連続的に供給する供給部をさらに備え、
前記衝突手段は、回転軸を中心に回転可能に設けられた、前記供給部から供給された前記固体物を前記回転軸から径方向外側に離間して保持する保持部を有し、
前記第１の衝突部は、前記保持部の軌道上に設けられ、
前記衝突手段は、前記保持部を回転させて、前記保持部に保持された前記固体物を前記第１の衝突部に激突させ、前記保持部から前記固体物を突き飛ばすことを特徴とする請求項１に記載の脱液体装置。
【請求項４】
前記第１の衝突部は、前記固体物の偏心位置に衝突することを特徴とする請求項２または請求項３に記載の脱液体装置。
【請求項５】
前記第１の衝突部は、弾性体から構成されていることを特徴とする請求項２ないし請求項４の何れか１項に記載の脱液体装置。
【請求項６】
前記保持部から突き飛ばされた前記固体物の軌道上に設けられ、前記保持部から突き飛ばされた前記固体物に衝突される第２の衝突部をさらに備えたことを特徴とする請求項２ないし請求項５の何れか１項に記載の脱液体装置。
【請求項７】
前記第２の衝突部から跳ねた前記固体物の軌道上に設けられ、前記第２の衝突部から跳ねた前記固体物に衝突される第３の衝突部をさらに備えたことを特徴とする請求項６に記載の脱液体装置。
【請求項８】
前記第２の衝突部は、前記固体物と衝突する面と、前記第２の衝突部に衝突する直前の前記固体物の移動方向との間の角度が非垂直になるように配置されている請求項６または請求項７に記載の脱液体装置。
【請求項９】
前記衝突手段に複数の前記固体物を順次連続的に供給する供給部をさらに備え、
前記衝突手段は、回転軸を中心に回転可能に設けられた、回転によって生じる遠心力によって、前記供給部から供給された前記固体物を径方向外側に向かって放出する回転体を有し、
前記第１の衝突部は、前記回転体より径方向外側に設けられ、
前記衝突手段は、前記回転体を回転させ、前記回転体から前記固体物を放出させて、前記固体物を前記第１の衝突部に激突させることを特徴とする請求項１に記載の脱液体装置。
【請求項１０】
前記衝突手段に複数の前記固体物を順次連続的に供給する供給部をさらに備え、
前記衝突手段は、前記供給部から供給された前記固体物が自重によって降下する降下路が形成された降下部を有し、
前記第１の衝突部は、前記降下路の下流側に設けられ、
前記固体物は、前記降下路を降下して、前記第１の衝突部に激突することを特徴とする請求項１に記載の脱液体装置。
【請求項１１】
前記第１の衝突部は、前記固体物と衝突する面と、前記第１の衝突部に衝突する直前の前記固体物の移動方向との間の角度が非垂直になるように配置されていることを特徴とする請求項９または請求項１０に記載の脱液体装置。
【請求項１２】
前記第１の衝突部に衝突した後の前記固体物が移動する経路上に設けられ、前記第１の衝突部に衝突した前記固体物が通過可能であるとともに、前記第１の衝突部に衝突した際に前記固体物から分離して飛散し、通過した後の前記固体物に向かって飛ぶ前記液体の一部を遮蔽する遮蔽体をさらに備えたことを特徴とする請求項１ないし請求項１１の何れか１項に記載の脱液体装置。
【発明の詳細な説明】
【技術分野】
【０００１】
この発明は、固体物に付着した液体の少なくとも一部を固体物から分離させる脱液体装置に関する。
【背景技術】
【０００２】
従来、開口部が上側に配置された有底円筒形状であって、底部から開口部に進むにつれて口径が連続的に拡大するように形成された外槽と、この外槽の内側に配置され、開口部が上側に配置された有底円筒形状であって、底部から上部に進むにつれて口径が連続的に拡大するように形成された内槽とを備えた脱水装置が知られている（例えば、特許文献１参照）。
このものの場合、内槽の側壁には、複数の貫通孔が形成されており、内槽が外槽とともに回転する。
水が付着した遊戯媒体が内槽に供給され、内槽とともに遊戯媒体が回転軸を中心に回転することによって、遊戯媒体には遠心力が働き、遊戯媒体は、この遠心力によって脱水されるとともに内槽の開口部に向かって移動する。
内槽の開口部に到達した遊戯媒体は、内槽から飛び出して、脱水装置から排出される。
【先行技術文献】
【特許文献】
【０００３】
【特許文献１】特開平１０−３０５１６０号公報
【発明の開示】
【発明が解決しようとする課題】
【０００４】
しかしながら、このものの場合、遊戯媒体から水を分離させるために十分な遠心力を得るためには、内槽の径方向の寸法が大きくしなければならず、また、十分な脱水時間を得るためには、内槽の軸線方向の寸法が大きくしなければならないので、脱水装置が大型化してしまうという問題点があった。
また、複数の遊戯媒体を内槽に供給して、内槽を回転させた場合に、内槽の内側における各遊戯媒体の移動速度にばらつきが生じてしまい、遊戯媒体の一部が十分に脱水されずに排出されて、遊戯媒体の脱水が不確実となってしまうという問題点があった。
【０００５】
この発明は、上述のような問題点を解決することを課題とするものであって、その目的は、小型化を図るとともに固体物の脱液体の確実性を向上させることができる脱液体装置を提供するものである。
【課題を解決するための手段】
【０００６】
この発明に係る脱液体装置は、表面に液体が付着した固体物と衝突する第１の衝突部と、前記固体物または前記第１の衝突部の何れか一方を他方に衝突させる衝突手段とを備え、前記一方を前記他方に衝突させることで、前記表面から前記液体の少なくとも一部を分離させる。
【発明の効果】
【０００７】
この発明に係る脱液体装置によれば、衝突手段が、固体物または第１の衝突部の何れか一方を他方に衝突させて、固体物に付着した液体の少なくとも一部を固体物から分離させるので、内槽を備える必要がなく、脱液体装置の小型化を図ることができ、また、固体物と第１の衝突部とを衝突させた後に、固体物が排出されるので、固体物の脱液体の確実性を向上させることができる。
【図面の簡単な説明】
【０００８】
【図１】この発明の実施の形態１に係る脱水装置を示す側面図である。
【図２】図１の打撃部がパチンコ玉から離間した状態の脱水装置を示す側面図である。
【図３】この発明の実施の形態２に係る脱水装置を示す側面図である。
【図４】図３の衝突体がパチンコ玉から離間した状態の脱水装置を示す側面図である。
【図５】この発明の実施の形態３に係る脱水装置の要部を示す側面図である。
【図６】この発明の実施の形態４に係る脱水装置の要部を示す側面図である。
【図７】この発明の実施の形態５に係る脱水装置の要部を示す側面図である。
【図８】図７の脱水装置の要部を示す平面図である。
【図９】図８の脱水装置の要部を示す側面図である。
【図１０】この発明の実施の形態６に係る脱水装置を示す側面図である。
【図１１】図１０の脱水装置を示す平面図である。
【図１２】この発明の実施の形態７に係る脱水装置を示す側面図である。
【発明を実施するための形態】
【０００９】
以下、この発明の各実施の形態を図に基づいて説明するが、各図において、同一または相当の部材、部位については、同一符号を付して説明する。
実施の形態１．
図１はこの実施の形態に係る脱水装置１を示す側面図であり、図２は図１の衝突体６がパチンコ玉３から離間した状態の脱水装置１を示す側面図である。
この実施の形態に係る脱液体装置である脱水装置１は、筐体２と、この筐体２の内側に設けられ、固体物であるパチンコ玉３を保持する保持部４と、筐体２の内側に下流端部が臨み、複数のパチンコ玉３を保持部４に順次連続的に供給する供給部５と、保持部４に保持されたパチンコ玉３に衝突する第１の衝突部である衝突体６とを備えている。
パチンコ玉３は、直径が約１１ｍｍに形成されている。
なお、供給部５より上流には、例えば、水を用いてパチンコ玉３を洗浄する洗浄装置（図示せず）が設けられており、この洗浄装置で洗浄されたパチンコ玉３が、濡れた状態で、供給部５に供給されるようになっている。
【００１０】
保持部４は、パチンコ玉３の直径より小さい網目を有した網部材から構成されている。
なお、保持部４は、網部材に限らず、例えば、パチンコ玉３の直径より小さい隙間が形成されたフレーム部材、または、側部または底部に隙間のある板材等、パチンコ玉３を支持するとともに水が通過して落下する他の部材から構成されてもよい。
保持部４は、筐体２の内壁に固定された支持部材（図示せず）によって支持されている。
なお、保持部４は、支持部材に限らず、その他の部材、例えば、供給部５の端部から延長された部材を介して供給部５に支持されてもよい。
【００１１】
供給部５には、パチンコ玉３が降下する、鉛直方向に沿った供給路５ａが形成されている。
供給部５から保持部４へ複数のパチンコ玉３が順次連続して供給されるので、最下段のパチンコ玉３が保持部４に保持され、この最下段より上方のパチンコ玉３は、それぞれが連接して、供給路５ａに収容される。
衝突体６がパチンコ玉３に衝突した後、後続のパチンコ玉３は、供給路５ａを降下して、保持部４に保持される。
【００１２】
衝突体６は、弾性体である圧縮コイルばねから構成されており、衝突体６に衝突されたパチンコ玉３は、衝突体６の弾性力によって加速されて、保持部４から突き飛ばされる。
なお、衝突体６は、圧縮コイルばねに限らず、例えば、合成ゴムまたは樹脂等の弾性体から構成されてもよい。
また、衝突体６は、弾性体に限らず、非弾性体から構成されてもよい。この場合、衝突体６がパチンコ玉３に衝突する際に生じる、衝突体６によるパチンコ玉３の加速は低減される。
【００１３】
また、この脱水装置１は、衝突体６を保持するとともに衝突体６をパチンコ玉３に向かって進退可能にする衝突手段７と、脱水されたパチンコ玉３を筐体２から排出する排出部８と、パチンコ玉３から分離した水を筐体２から排出する排水部９とを備えている。
衝突手段７は、衝突体６で、保持部４に保持されたパチンコ玉３を打撃して、パチンコ玉３を保持部４から突き飛ばす。
排出部８には、衝突体６との衝突によって保持部４から突き飛ばされたパチンコ玉３が降下する排出路８ａが形成されている。
排出路８ａは、パチンコ玉３が筐体２から転がり落ちるように傾斜して形成されている。
排水部９には、衝突体６がパチンコ玉３に衝突することにより、パチンコ玉３から分離した水が流下する排水路９ａが形成されている。
排水路９ａは筐体２の内部空間の最下部に連通して形成されているので、筐体２の下部に集められた水が、排水路９ａへ導かれる。
【００１４】
筐体２には、断面コ字形状をした一対の衝突板取付部１０を介して、第２の衝突部である衝突板１１が着脱可能に取り付けられている。
衝突板１１は、保持部４から突き飛ばされたパチンコ玉３の軌道上に配置されており、保持部４から突き飛ばされたパチンコ玉３に衝突される。
また、この衝突板１１は、樹脂製の衝撃吸収材から構成されており、パチンコ玉３に衝突された際に生じる衝撃を軽減させている。
なお、この衝突板１１は、衝撃吸収材に限らず、弾性体から構成されてもよい。この場合、パチンコ玉３との衝突時の反発力が大きくなり、パチンコ玉３の脱水効果を向上させることができる。
また、この衝突板１１は、パチンコ玉３と衝突する面と、衝突板１１に衝突する直前のパチンコ玉３の移動方向との間の角度が非垂直になるように、配置されている。
【００１５】
筐体２の内側であって、衝突板１１の下方には、衝突板１１に衝突したパチンコ玉３を受け止める中底１２が設けられている。
この中底１２は、筐体２の内壁に固定されており、排出部８に向かってパチンコ玉３を案内するように傾斜して配置されている。
中底１２の一部は、パチンコ玉３を支持するとともに水が落下する網部材から構成されている。
なお、中底１２の一部は、網部材に限らず、パチンコ玉３を支持するとともに水が落下する部材であればよく、例えば、吸水性のある多孔質な樹脂等でもよい。
これにより、パチンコ玉３から分離した水を、中底１２より下方へ落下させることができる。
中底１２より下方へ落下した水は、排水部９によって筐体２から排出される。
【００１６】
衝突体６と衝突板１１との間には、衝突体６から衝突板１１側に向かって飛ぶ水の一部を遮蔽するとともに、衝突板１１から衝突体６側に向かって飛ぶ水の一部を遮蔽する遮蔽体である遮蔽板１３が設けられている。なお、遮蔽体は、遮蔽板１３のような板形状に限らず、その他の形状であってもよい。
これにより、衝突体６がパチンコ玉３に衝突する際にパチンコ玉３から飛散した水が、衝突板１１へ向かって飛ぶことが抑制されるとともに、パチンコ玉３が衝突板１１に衝突する際にパチンコ玉３から飛散した水が、衝突体６へ向かって飛ぶことが抑制される。
この遮蔽板１３は、上端部が筐体２の内壁に固定されている。
また、この遮蔽板１３には、衝突体６から衝突板１１に向かって飛ぶパチンコ玉３が通過可能な貫通孔１３ａが形成されている
遮蔽板１３の下端部は、中底１２と離間しており、パチンコ玉３が通過可能となっている。
なお、遮蔽板１３の下端部に、中底１２を転動するパチンコ玉３が通過可能な開口部が形成されてもよい。
例えば、保持部４に保持される前のパチンコ玉３が衝突体６に衝突された場合には、いわゆる、打ち損じが発生し、衝突されたパチンコ玉３は、遮蔽板１３の貫通孔１３ａを通過することができず、中底１２によって排出部８に向かって案内される。
これにより、筐体２の内側でパチンコ玉３が詰まってしまうことを抑制することができる。
【００１７】
衝突手段７は、一端部に衝突体６が取り付けられ、打撃部回転軸１４を中心に回動可能な打撃部１５と、一端部が打撃部１５の他端部に接続された、圧縮コイルばねから構成された打撃用ばね１６と、一端部が打撃用ばね１６の他端部に接続され、他端部が筐体２に固定された打撃用ばね固定部１７とを有している。
衝突体６は、打撃部１５に着脱可能に取り付けられており、パチンコ玉３との衝突により消耗した場合には、簡単に新しい衝突体６に交換することができる。
保持部４に保持されたパチンコ玉３から衝突体６が離間する方向に打撃部１５が回動することで、打撃用ばね１６が伸張して、打撃用ばね１６には、収縮する方向への弾性力が発生する。
これにより、打撃用ばね１６は、保持部４に保持されたパチンコ玉３へ衝突体６が接近する方向に打撃部１５を付勢する。
打撃部１５には、打撃部回転軸１４を中心とした半円形状のギヤ部１５ａが形成されている。
【００１８】
また、この衝突手段７は、駆動軸１８を介してモータ（図示せず）に連結された駆動ギヤ１９を有している。
駆動軸１８は、打撃部回転軸１４と平行して配置されている。
駆動ギヤ１９は、打撃部１５に形成されたギヤ部１５ａに歯合するように配置されている。
これにより、モータの駆動によって駆動ギヤ１９が、図１の矢印Ａの方向に回転することで、図２に示すように、打撃部１５は、保持部４に保持されたパチンコ玉３から衝突体６が離間する方向に回動する。
【００１９】
筐体２の外壁であって、打撃部１５に対向した面には、打撃部１５と衝突する打撃部ストッパ２０が固定されている。
保持部４に保持されたパチンコ玉３に衝突体６が衝突したときに、打撃部１５が打撃部ストッパ２０に衝突する。
これにより、打撃部１５が筐体２に衝突することを防ぐことができる。
駆動ギヤ１９は、周側面の一部に、駆動軸１８の軸線方向に沿って切り取られて形成された平面部１９ａを有しており、駆動ギヤ１９が回転して、平面部１９ａがギヤ部１５ａに対向したときに、駆動ギヤ１９とギヤ部１５ａとの歯合が解除される。
モータは常に駆動しており、これによって駆動ギヤ１９も常に回転している。その結果、駆動ギヤ１９は、ギヤ部１５ａに歯合したり、ギヤ部１５ａとの歯合が解除されたりするのを繰り返し、衝突体６が、保持部４に保持されたパチンコ玉３との衝突を繰り返す。
モータの駆動を調節して、駆動ギヤ１９の回転速度を調節することで、所定の時間毎に、衝突体６と、保持部４に保持されたパチンコ玉３とを衝突させることができる。
なお、駆動ギヤ１９がギヤ部１５ａに歯合したり、ギヤ部１５ａとの歯合が解除されたりするタイミングを調節することで、打撃部ストッパ２０を省略しても、打撃部１５が筐体２に衝突しないように構成することができる。
【００２０】
次に、この実施の形態に係る脱水装置１の動作について説明する。
まず、パチンコ玉３は、水に濡れた状態で供給部５から保持部４へ供給され、保持部４に保持される。
次に、衝突手段７は、衝突体６で、保持部４に保持されたパチンコ玉３を打撃して、パチンコ玉３を保持部４から突き飛ばす。
パチンコ玉３と衝突体６との衝突により、パチンコ玉３には、短時間の速度変化による衝撃が生じ、この衝撃がパチンコ玉３の表面に付着した水の表面張力より大きい場合に、パチンコ玉３の表面に付着した水は、パチンコ玉３が受ける衝撃とは逆方向へパチンコ玉３から引き離され、パチンコ玉３が脱水される。
保持部４から突き飛ばされたパチンコ玉３は、遮蔽板１３の貫通孔１３ａを通過した後、衝突板１１に衝突して、さらにパチンコ玉３が脱水される。
衝突板１１に衝突したパチンコ玉３は、中底１２に受け止められ、排出部８によって筐体２から排出される。
衝突体６とパチンコ玉３との衝突でパチンコ玉３から分離した水と、衝突板１１とパチンコ玉３との衝突でパチンコ玉３から分離した水は、パチンコ玉３と一緒に供給部５へ供給された水、および、供給部５内でパチンコ玉３から分離した水とともに、中底１２から下方へ落下して、排水部９によって筐体２から排出される。
【００２１】
次に、パチンコ玉３の表面に付着した水の表面張力について説明する。
一般的に、表面張力はパチンコ玉３に付着した水の周縁距離に比例するものの、水滴が小さくなると単位重量当たりの表面張力が増加する。
例えば、パチンコ玉３に付着した水滴の半径が相似形で半分となった場合には、パチンコ玉３に付着した水の周縁距離および表面張力は半分となるのに対して、水滴の体積および重量は１／８となる。
つまり、単位重量当たりの表面張力が４倍となる。
パチンコ玉３が受ける衝撃が大きいと、水の表面張力との関係で、パチンコ玉３に残り得る水滴の大きさが小さくなり、衝撃を受ける前にパチンコ玉３の表面に付着していた水滴との差を脱水することができる。
すなわち、衝撃の大きさで、脱水効果が決定される。
実際、本願発明者は、この実施の形態に係る脱水装置１を用いて、パチンコ玉３の脱水実験を行った。
パチンコ玉３の表面に、１個当たり、約２０ｍｇの水を付着させ（パチンコ玉３の表面の状態により多少の差異はあるものの、パチンコ玉３を水没させて静かに空気中に取り出すと、この程度の水の量がパチンコ玉３の表面に付着する。）、５０Ｇ（標準重力が１Ｇである）程度の衝撃を与えて、脱水率を測定した。
なお、脱水率とは、脱水前水付着量から脱水後水付着量を引いた値を脱水前水付着量で割った値である。
また、水付着量は、パチンコ玉３の重量（約５．５ｇ／個）との差が大きいので、脱水前後とも、パチンコ玉３の表面に付着した水をティッシュペーパーで吸収させ、このティッシュペーパーの重量変化から、パチンコ玉３の表面に付着した水の重量を測定した。
パチンコ玉３の脱水実験を行った結果、パチンコ玉３の表面に付着した水の９０％以上をパチンコ玉３の表面から分離させて、パチンコ玉３を脱水することができた。
【００２２】
以上説明したように、この実施の形態に係る脱水装置１によれば、衝突手段７が、衝突体６をパチンコ玉３に衝突させて、パチンコ玉３に付着した水の少なくとも一部をパチンコ玉３から分離させるので、内槽を備える必要がなく、脱水装置１の小型化を図ることができ、また、パチンコ玉３と衝突体６とを衝突させた後に、パチンコ玉３が排出されるので、パチンコ玉３の脱水の確実性を向上させることができる。
また、内槽を回転させて、内槽の内側にあるパチンコ玉３を脱水する従来の脱水装置と比較して、大きな内槽を回転させる動力を必要としないので、エネルギー効率を向上させることができる。
また、内槽を回転させて、遠心力を用いてパチンコ玉３を脱水する従来の脱水装置と比較して、パチンコ玉３と衝突体６との衝突によって、パチンコ玉３を脱水するので、パチンコ玉３を脱水するのに必要な時間を短縮することができる。
【００２３】
また、保持部４に複数のパチンコ玉３が順次連続的に供給され、衝突手段７が、衝突体６でパチンコ玉３を打撃するので、パチンコ玉３を順次連続的に安定して脱水することができる。
【００２４】
また、衝突体６が弾性体から構成されているので、衝突手段７が衝突体６でパチンコ玉３を打撃した際に、衝突体６の弾性によって、打撃前後のパチンコ玉３の速度変化を増大させることができ、パチンコ玉３の脱水効果を向上させることができる。
また、衝突体６が弾性体から構成されているので、打撃時の打撃部１５への反力を緩和することができ、打撃部１５の破損および打撃時の騒音を抑制することができる。
また、衝突体６が弾性体から構成されているので、パチンコ玉３との衝突による衝突体６およびパチンコ玉３の磨耗および損傷を抑制することができる。
【００２５】
また、衝突体６に衝突されて保持部４から突き飛ばされたパチンコ玉３が衝突板１１に衝突するので、パチンコ玉３の脱水効果をさらに向上させることができる。
また、衝突体６に衝突されて保持部４から突き飛ばされたパチンコ玉３が衝突板１１に衝突するので、衝突体６に衝突されて保持部４から突き飛ばされたパチンコ玉３が、衝突板１１以外の部材に直接衝突することが抑制することができ、脱水装置１の磨耗および損傷を抑制することができる。
その結果、脱水装置１を長寿命化することができ、また、脱水装置１のメンテナンス周期を長くすることができる。
【００２６】
また、遮蔽板１３は、パチンコ玉３が通過可能であるとともに、衝突体６から衝突板１１側に向かって飛ぶ水の一部を遮蔽するとともに、衝突板１１から衝突体６側に向かって飛ぶ水の一部を遮蔽するので、衝突体６がパチンコ玉３に衝突する際にパチンコ玉３の表面から飛散した水が、既に衝突板１１に衝突したパチンコ玉３に向かって飛ぶことが抑制され、また、パチンコ玉３が衝突板１１に衝突する際にパチンコ玉３の表面から飛散した水が、既に衝突体６に衝突したパチンコ玉３に向かって飛ぶことが抑制される。
その結果、パチンコ玉３の脱水効果をさらに向上させ、さらに、パチンコ玉３の脱水効果を安定させることができる。
【００２７】
また、衝突板１１は、パチンコ玉３と衝突する面と、衝突板１１に衝突する直前のパチンコ玉３の移動方向との間の角度が非垂直となるように、配置されているので、衝突板１１と衝突したパチンコ玉３と、衝突板１１に衝突する前のパチンコ玉３とが衝突することを抑制することができ、パチンコ玉３の脱水効果をさらに向上させることができる。
【００２８】
なお、この実施の形態では、鉛直方向に沿った供給路５ａが形成された供給部５について説明したが、勿論このものに限らない。
例えば、鉛直方向から傾斜した供給路５ａが形成された供給部５であってもよく、また、供給路５ａの一部が鉛直方向に沿い、他の一部が鉛直方向から傾斜して形成された供給部５であってもよい。
また、保持部４の近傍では、供給路５ａが水平方向に沿って形成された供給部５であってもよい。
また、保持部４の近傍で、下方から上方へパチンコ玉３が移動するような供給路５ａが形成された供給部５であってもよい。この場合、後続するパチンコ玉３によって押し出されて、最下流のパチンコ玉３が保持部４に保持される。
また、例えば、ベルトコンベアなど、パチンコ玉３を移動させる機構が途中に設けられた供給部５であってもよい。
【００２９】
また、この実施の形態では、一端部が打撃部１５に接続され、他端部が打撃用ばね固定部１７に接続された、圧縮コイルばねから構成された打撃用ばね１６について説明したが、勿論このものに限らない。
例えば、一端部が打撃部１５に接続され、他端部が打撃部回転軸１４または打撃用ばね固定部１７に接続された、ねじりコイルばねから構成された打撃用ばね１６であってもよい。
この場合、打撃用ばね１６は、打撃部回転軸１４の回りを覆うように配置される。
また、打撃部１５自体を、適度な弾性を有する材料または構造で形成してもよい。
これにより、衝突体６がパチンコ玉３を突き飛ばす際に発生する反発力をより一層大きくして、脱水効果を向上させ、また、打撃部１５への構造的負担を軽減して、打撃部１５の破損の発生を抑制することができる。
【００３０】
また、この実施の形態では、１つの衝突体６を備えた脱水装置１について説明したが、勿論このものに限らず、複数の衝突体６を備えた脱水装置１であってもよい。
この場合、保持部４、供給路５ａおよび衝突体６のそれぞれを増加させてもよく、または、供給路５ａを共通にして、保持部４および衝突体６のみを増加させてもよい。
また、この場合、衝突手段７は、１つの衝突体６を保持した打撃部１５を複数備えたり、または、各衝突体６の全てを保持する打撃部１５を備えたりしてもよい。
衝突手段７が複数の打撃部１５を備えた場合には、衝突手段７は、１つの打撃部１５を回動させる打撃部回転軸１４および駆動軸１８を複数備えたり、または、各打撃部１５の全てを回動させる打撃部回転軸１４および駆動軸１８を備えたりしてもよい。
また、筐体２には、衝突体６の数に合わせて、複数の衝突板１１を取り付けたり、または、共通の衝突板１１を取り付けたりしてもよい。
【００３１】
また、この実施の形態では、パチンコ玉３から分離した水を、筐体２から排出する排水部９について説明したが、この排水部９と、供給部５の上流に設けられたパチンコ玉３の洗浄装置（図示せず）に接続された循環部とを接続して、排水部９によって排出された水を洗浄装置へ循環させてもよい。
この場合、循環部には、循環部を通過する水から異物を除去するフィルタを取り付けたり、排水部９から洗浄装置に向かって水が流れるようにポンプを取り付けたりしてもよい。
これにより、洗浄装置で使用する水の量を抑制することができる。
なお、衝突手段７は、保持部４からパチンコ玉３を断続的に突き飛ばすことができるものであれば、上述した構成以外の構成であってもよい。
また、この実施の形態では、保持部４のパチンコ玉３に後続する供給部５のパチンコ玉３が接触する構成としたが、保持部４のパチンコ玉３と後続する供給部５のパチンコ玉３との間に、衝突手段７の動作に連動して解除可能な仮止部を設け、保持部４にパチンコ玉３が保持されているときには、仮止部により保持部４のパチンコ玉３と後続する供給部５のパチンコ玉３との間を被接触となるように分離しておき、衝突手段７により保持部４のパチンコ玉３が突き飛ばされた後に、仮止部を解除して、後続する供給部５のパチンコ玉３を保持部４へ供給するようにしてもよい。
この構成により、後続する供給部５のパチンコ玉３が保持部４のパチンコ玉３に接触することによる摩擦抵抗がなくなるので、保持部４のパチンコ玉３を効率良く、つまり、突き飛ばすための衝突力を小さくしたり、突き飛ばされる際のパチンコ玉３の速度を速めたりして、衝突手段７により突き飛ばすことができるようになる。
また、パチンコ玉３の突き飛ばされる方向も安定し、さらに、パチンコ玉３の打ち損じ等の発生を減少させることができる。
【００３２】
実施の形態２．
図３はこの実施の形態に係る脱水装置１を示す側面図であり、図４は図３の衝突体６がパチンコ玉３から離間した状態の脱水装置１を示す側面図である。
この実施の形態に係る脱水装置１は、衝突手段７が、有底円筒形状の打撃部１５と、この打撃部１５の内側に挿入された打撃用ばね１６と、この打撃用ばね１６が固定された打撃用ばね固定部１７とを有している。
なお、打撃部１５には、実施の形態１に記載された打撃部回転軸１４が取り付けられていない。
打撃部１５は、底部に衝突体６が取り付けられており、衝突体６が、保持部４に保持されたパチンコ玉３に指向するように、配置されている。
打撃用ばね１６は、打撃部１５の軸線と同軸上に配置されており、一端部が打撃部１５の底部に接続され、他端部が打撃用ばね固定部１７に接続されている。
これにより、打撃部１５は、保持部４に保持されたパチンコ玉３に向かって進退可能となっている。
打撃部１５の外周面の一部には、ギヤ部１５ａが形成されている。
また、この衝突手段７は、実施の形態１と同様に、駆動軸１８を介してモータに連結された駆動ギヤ１９を有しており、この駆動ギヤ１９の外周面には、平面部１９ａが形成されている。
駆動ギヤ１９は、打撃部１５に形成されたギヤ部１５ａに歯合するように配置されている。
なお、筐体２の外壁には、実施の形態１に記載された打撃部ストッパ２０が取り付けられていない。
【００３３】
また、この脱水装置１は、第２の衝突部である第１の衝突板２１が筐体２の中央部に設けられている。
この第１の衝突板２１は、保持部４から突き飛ばされたパチンコ玉３の軌道上に配置されており、保持部４から突き飛ばされたパチンコ玉３に衝突される。
この第１の衝突板２１は、断面コ字形状をした一対の第１の衝突板取付部２２を介して、筐体２に着脱可能に取り付けられている。
筐体２には、第３の衝突部である第２の衝突板２３が、断面コ字形状をした一対の第２の衝突板取付部２４を介して、着脱可能に取り付けられている。
この第２の衝突板２３は、第１の衝突板２１に衝突した後のパチンコ玉３の軌道上に配置されており、第１の衝突板２１に衝突した後のパチンコ玉３に衝突される。
第１の衝突板２１は、弾性体から構成されており、この第１の衝突板２１に衝突するパチンコ玉３が反発し易くなっている。
第２の衝突板２３は、樹脂製の衝撃吸収材から構成されており、パチンコ玉３に衝突された際に生じる衝撃を軽減させている。
なお、第２の衝突板２３は、衝撃吸収材ではなく、弾性体から構成されてもよい。この場合、パチンコ玉３との衝突時の反発力が大きくなり、パチンコ玉３の脱水効果を向上させることができる。
また、第１の衝突板２１は、第１の衝突板２１のパチンコ玉３と衝突する面と、第１の衝突板２１に衝突する直前のパチンコ玉３の移動方向との間の角度が非垂直となるように、配置されている。
また、第２の衝突板２３は、パチンコ玉３と衝突する面と、第２の衝突板２３に衝突する直前のパチンコ玉３の移動方向との間の角度が非垂直になるように、配置されている。
その他の構成は、実施の形態１と同様である。
【００３４】
この実施の形態に係る脱水装置１によれば、パチンコ玉３は、衝突体６で打撃された後、第１の衝突板２１に衝突し、さらに、第２の衝突板２３に衝突するので、実施の形態１に記載の脱水装置１と比較して、衝突方向が変わるので、パチンコ玉３の脱水斑を減少させることができ、パチンコ玉３の脱水効果を向上させることができる。
【００３５】
なお、この実施の形態では、保持部４に保持されたパチンコ玉３に向かって進退可能な打撃部１５について説明したが、勿論このものに限らず、例えば、実施の形態１に記載したように、打撃部回転軸１４を中心に回動可能に設けられ、一端部が、保持部４に保持されたパチンコ玉３に向かって進退可能な打撃部１５であってもよい。
また、打撃部回転軸１４を中心に回転可能に設けられた円盤形状の打撃部１５であってもよい。
このものの場合、この打撃部１５には、外周側または側面側に向かって突出した突出部（図示せず）が形成され、この突出部には、衝突体６が取り付けられる。
また、筐体等には、打撃部１５が回転しても打撃部１５および衝突体６と非接触になるようにスリットが形成されている。
これにより、打撃部１５に取り付けられた衝突体６は、打撃部１５が連続的に回転することで、所定の時間毎に、パチンコ玉３に衝突することができる。
その結果、打撃部１５を一方向へ回転するだけで、パチンコ玉３を打撃することができ、構造を簡単にすることができる。
なお、打撃部１５の突出部は、衝突体６と兼用してもよい。
【００３６】
実施の形態３．
図５はこの実施の形態に係る脱水装置１の要部を示す側面図である。
この実施の形態に係る脱水装置１は、衝突体６がパチンコ玉３の偏心位置に衝突するように、衝突手段７が配置されている。
衝突体６で打撃されたパチンコ玉３は、自転しながら、保持部４から突き飛ばされる。
その他の構成は、実施の形態２と同様である。
【００３７】
この実施の形態に係る脱水装置１によれば、衝突体６がパチンコ玉３の偏心位置に衝突するので、パチンコ玉３は自転しながら保持部４から突き飛ばされ、その遠心力によって、パチンコ玉３を斑少なく脱水することができる。
【００３８】
実施の形態４．
図６はこの実施の形態に係る脱水装置１の要部を示す側面図である。
この実施の形態に係る脱水装置１は、固体物であるコイン２５を保持する保持部４と、複数のコイン２５を保持部４に順次連続的に供給する供給部５と、保持部４に保持されたコイン２５に衝突する衝突体６とを備えている。
供給部５には、コイン２５が通過する、鉛直方向から傾斜した供給路５ａが形成されており、コイン２５の下面が供給路５ａの内壁面に接触しながら、コイン２５が自重によって供給路５ａを降下する。
供給部５から複数のコイン２５が保持部４へ供給されるので、最下段のコイン２５が保持部４に保持され、この最下段より上方のコイン２５は、それぞれが連接して、供給路５ａに収容される。
衝突体６は、コイン２５の下面であって偏心位置に、衝突する。
衝突体６がコイン２５に衝突して保持部４のコイン２５が突き飛ばされた後、後続のコイン２５は、供給路５ａを降下して、保持部４に保持される。
衝突体６に衝突されたコイン２５は、コイン２５の偏心位置に衝突体６が衝突することで自転しながら、保持部４から突き飛ばされる。
その他の構成は、実施の形態３と同様である。
【００３９】
この実施の形態に係る脱水装置１によれば、衝突手段７が、衝突体６をコイン２５に衝突させて、コイン２５に付着した水の少なくとも一部をコイン２５から分離させるので、内槽を備える必要がなく、脱水装置１の小型化を図ることができ、また、コイン２５と衝突体６とを衝突させた後に、コイン２５が排出されるので、コイン２５の脱水の確実性を向上させることができる。
また、内槽を回転させて、内槽内にあるコイン２５を脱水する従来の脱水装置と比較して、大きな内槽を回転させる動力を必要としないので、エネルギー効率を向上させることができる。
また、内槽を回転させて、遠心力を用いてコイン２５を脱水する従来の脱水装置と比較して、コイン２５と衝突体６との衝突によって、コイン２５を脱水するので、コイン２５を脱水するのに必要な時間を短縮することができる。
【００４０】
なお、この実施の形態では、コイン２５の下面が供給路５ａの内壁面に接触しながら、コイン２５が自重によって供給路５ａを降下する脱水装置１について説明したが、コイン２５の外周面が供給路５ａの内壁面に接触しながら、コイン２５が自重によって供給路５ａを降下する脱水装置１であってもよい。
【００４１】
また、衝突体６がコイン２５の下面に衝突する脱水装置１について説明したが、衝突体６がコイン２５の外周面に衝突する脱水装置１であってもよい。
【００４２】
また、衝突体６がコイン２５の偏心位置に衝突する脱水装置１について説明したが、衝突体６がコイン２５の重心に衝突する脱水装置１であってもよい。
この場合、コイン２５の自転による脱水効果は得られず、コイン２５の速度変化によるコイン２５の脱水効果のみとなる。
【００４３】
実施の形態５．
図７はこの実施の形態に係る脱水装置１の要部を示す側面図、図８は図７の脱水装置１の要部を示す平面図、図９は図８の脱水装置１の要部を示す側面図である。
この実施の形態に係る脱水装置１は、衝突手段７と、この衝突手段７に複数のパチンコ玉３を順次連続的に供給する円筒形状の供給部５と、衝突手段７に供給されたパチンコ玉３と衝突する衝突体６とを備えている。
衝突手段７は、円盤回転軸２６を中心に回転可能な円盤２７と、この円盤２７の周縁部より径方向外側の４箇所に等間隔に取り付けられた保持部２８と、円盤２７の中央部からそれぞれの保持部２８に向かってパチンコ玉３を案内するワイヤから構成された案内レール２９とを有している。
なお、案内レール２９は、ワイヤに限らず、パチンコ玉３を保持部２８へ案内できるものであれば、その他の部材から構成されてもよい。
保持部２８および案内レール２９は、円盤２７とともに回転する。
供給部５には、鉛直方向に沿って供給路５ａが形成されており、供給部５は、供給路５ａの下端部から円盤２７の中央部にパチンコ玉３が供給されるように、配置されている。
この構成により、パチンコ玉３が回転部分（円盤回転軸２６、案内レール２９、円盤２７等）と非回転部分（供給部５等）との間に噛み込まれて回転部分が停止することを抑制することができる。
なお、供給部５のパチンコ玉３は、供給部５内で回転部分とも非回転部分ともなり得るが、位置が移動可能であり、供給部５に存在するパチンコ玉３が極めて多くなり、隣接したパチンコ玉３間の摩擦抵抗で移動できなくなる場合を除き、噛み込まれる可能性は低い。
円盤回転軸２６は、モータ（図示せず）に連結されており、このモータの駆動によって、円盤回転軸２６とともに円盤２７が、図８の矢印Ｂの方向に水平回転する。
なお、円盤２７は水平回転でなくてもよい。
衝突体６は、保持部２８の軌道上に設けられており、保持部２８に保持されたパチンコ玉３と衝突する。
この衝突体６は、打撃部１５に取り付けられており、この打撃部１５は筐体（図示せず）に固定されている。
その他の構成は、実施の形態１と同様である。
【００４４】
次に、この実施の形態に係る脱水装置１の動作について説明する。
まず、供給路５ａ内のパチンコ玉３は、供給路５ａを自重によって降下して、供給部５から円盤２７の中央部に供給される。
円盤２７の中央部に供給されたパチンコ玉３は、円盤２７の水平回転によって生じる遠心力によって、円盤２７の上面を径方向外側に向かって移動し、案内レール２９に案内されて、保持部２８に保持される。
保持部２８に保持されたパチンコ玉３は、円盤２７とともに回転して、衝突体６に激突し、衝突体６に激突したパチンコ玉３は保持部２８から突き飛ばされる。
パチンコ玉３と衝突体６との衝突により、パチンコ玉３には、短時間の速度変化による衝撃が生じ、この衝撃がパチンコ玉３の表面に付着した水の表面張力より大きい場合に、パチンコ玉３の表面に付着した水は、パチンコ玉３が受ける衝撃とは逆方向へパチンコ玉３から引き離され、パチンコ玉３が脱水される。
保持部２８から突き飛ばされたパチンコ玉３は、図示していないが、実施の形態１と同様に、遮蔽体である遮蔽板１３の貫通孔１３ａを通過して衝突板１１に衝突し、中底１２に降下して、排出部８から筐体２の外へ排出される。
衝突体６とパチンコ玉３との衝突によってパチンコ玉３から分離した水は、図示していないが、実施の形態１と同様に、中底１２から下方へ落下して、排水部９によって筐体２の外へ排出される。
【００４５】
この実施の形態に係る脱水装置１によれば、保持部２８が、円盤回転軸２６を中心に回転し、供給部５から供給されたパチンコ玉３を円盤回転軸２６から径方向外側に離間して保持し、衝突体６が保持部２８の軌道上に設けられ、衝突手段７は、保持部２８を回転させて、保持部２８に保持されたパチンコ玉３を衝突体６に激突させるので、パチンコ玉３を順次連続的に安定して脱水することができる。
また、遠心力によって、パチンコ玉３が保持部２８へ移動するので、パチンコ玉３が衝突体６に衝突した後、後続のパチンコ玉３を素早く保持部２８に保持させることができ、パチンコ玉３の脱水処理数を増大させることができる。
【００４６】
なお、この実施の形態では、４箇所に取り付けられた保持部２８について説明したが、勿論この数に限らない。
【００４７】
また、円盤２７と、保持部２８と、案内レール２９とを有した衝突手段７について説明したが、勿論このものに限らず、円盤２７を有さず、保持部２８と、この保持部２８とともに回転する案内レール２９とを有した衝突手段７であってもよい。
この場合、供給部５から供給されたパチンコ玉３は、案内レール２９によって案内されて保持部２８に保持される。
【００４８】
また、供給部５と円盤２７とを一体に形成し、円盤２７とともに供給部５を回転させてもよい。
この構成により、パチンコ玉３が回転部分と非回転部分との間に噛み込まれることを、より一層抑制することができる。
この場合、案内レール２９を設けず、供給路５ａを回転中心から外周側にＬ字形状に形成し、供給路５ａから出たパチンコ玉３が保持部２８に保持されるようにしてもよい。
【００４９】
実施の形態６．
図１０はこの実施の形態に係る脱水装置１を示す側面図、図１１は図１０の脱水装置１を示す平面図である。
この実施の形態に係る脱水装置１は、衝突手段７と、この衝突手段７に複数のパチンコ玉３を順次連続的に供給する供給部５と、衝突手段７に供給されたパチンコ玉３と衝突する衝突体６とを備えている。
衝突手段７は、円盤回転軸２６を中心に回転可能な回転体３０を有し、この回転体３０は、円盤２７と、この円盤２７の上面に取り付けられ、中央部から径方向外側の４方向に向かって延びた４組の案内レール２９とを含んでいる。
案内レール２９は、ワイヤから構成されている。
４組の案内レール２９は、円盤回転軸２６を中心に、放射状に配置されている。
供給部５には、鉛直方向に沿った供給路５ａが形成されており、供給部５は、供給路５ａの下端部から円盤２７の中央部にパチンコ玉３が供給されるように、配置されている。
円盤回転軸２６は、モータ（図示せず）に連結されており、このモータの駆動によって、円盤回転軸２６とともに円盤２７が、図１１の矢印Ｃの方向に水平回転する。
なお、円盤２７は水平回転でなくてもよい。
円盤２７より径方向外側には、環形状の衝突体６が設けられている。
この衝突体６は、断面コ字形状をした一対の衝突体取付部３１を介して、筐体２に着脱可能に取り付けられている。
衝突体６は、筐体２に着脱可能に取り付けられているので、パチンコ玉３との衝突によって磨耗した衝突体６を、新しい衝突体６に容易に交換することができる。
衝突体６は、衝突体６のパチンコ玉３と衝突する面と、衝突体６に衝突する直前のパチンコ玉３の移動方向との間の角度が非垂直となるように、配置されている。
その他の構成は、衝突板１１および遮蔽体である遮蔽板１３を備えていない点を除き、実施の形態５と同様である。
【００５０】
次に、この実施の形態に係る脱水装置１の動作について説明する。
まず、供給路５ａ内のパチンコ玉３は、供給路５ａを自重によって降下し、供給部５から円盤２７の中央部に供給される。
円盤２７の中央部に供給されたパチンコ玉３は、円盤２７の水平回転によって生じる遠心力によって、案内レール２９に案内されながら、円盤２７の上面を径方向外側に向かって移動する。
このとき、パチンコ玉３は、円盤２７の上面を径方向外側に向かうほど、パチンコ玉３に働く遠心力が大きくなるので、隣接したパチンコ玉３が接触することはない。
遠心力によって加速されたパチンコ玉３は、円盤２７の周縁部から放出されて、衝突体６に激突する。
パチンコ玉３と衝突体６との衝突により、パチンコ玉３には、短時間の速度変化による衝撃が生じ、この衝撃がパチンコ玉３の表面に付着した水の表面張力より大きい場合に、パチンコ玉３の表面に付着した水は、パチンコ玉３が受ける衝撃とは逆方向へパチンコ玉３から引き離され、パチンコ玉３が脱水される。
衝突体６に激突したパチンコ玉３は、衝突時の反力と重力とによって落下して、中底１２に受け止められ、排出部８によって筐体２から排出される。
パチンコ玉３から分離した水は、中底１２から落下して、排水部９によって筐体２から排出される。
【００５１】
この実施の形態に係る脱水装置１によれば、回転体３０が、円盤回転軸２６を中心に回転し、回転体３０に供給されたパチンコ玉３が、回転体３０の回転によって生じる遠心力によって回転体３０から放出され、衝突体６に激突するので、パチンコ玉３を順次連続的に安定して脱水することができる。
【００５２】
また、衝突体６は、衝突体６のパチンコ玉３と衝突する面と、衝突体６に衝突する直前のパチンコ玉３の移動方向との間の角度が非垂直となるように、配置されているので、衝突体６と衝突したパチンコ玉３と、衝突体６に衝突する前のパチンコ玉３とが衝突することを抑制することができ、パチンコ玉３の脱水効果を向上させることができる。
【００５３】
なお、この実施の形態では、円盤２７の中央部から径方向外側の４方向に向かって延びた４組の案内レール２９について説明したが、勿論この数に限らない。
【００５４】
また、円盤２７と案内レール２９とを含んだ回転体３０について説明したが、勿論このものに限らず、例えば、円盤２７を含まず、案内レール２９を含んだ回転体３０であってもよい。
【００５５】
また、供給部５と円盤２７とを一体に形成し、円盤２７とともに供給部５を回転させてもよい。
【００５６】
また、供給路５ａを回転中心から外周側にＬ字形状となるように形成して、回転体３０と供給部５を共用にして、供給部５を回転させてもよい。
また、衝突体６と中底１２との間に、遮蔽体を設けてもよい。この遮蔽体は、パチンコ玉３が通過可能な貫通孔が形成され、その他の部分を遮蔽した遮蔽板であり、衝突体６に衝突してパチンコ玉３から分離して飛び散った水滴が、遮蔽板で遮られて、中底１２に落下したパチンコ玉３に再付着することを抑制して、脱水効果を向上させることができる。
【００５７】
実施の形態７．
図１２はこの実施の形態に係る脱水装置１を示す側面図である。
この実施の形態に係る脱水装置１は、衝突手段７と、この衝突手段７に複数のパチンコ玉３を順次連続的に供給する供給部５と、衝突手段７に供給されたパチンコ玉３と衝突する平板形状の衝突体６とを備えている。
衝突手段７は、供給部５から供給されたパチンコ玉３が自重によって降下する降下路３２ａが形成された降下部３２を有している。
降下路３２ａは、鉛直方向に沿って形成されており、その長さは、約１ｍとなっている。
なお、降下路３２ａは鉛直方向に限らず、水平方向から傾斜して形成され、パチンコ玉３が降下することができればよい。
また、降下路３２ａの長さは、１ｍに限らず、その他の寸法であってもよい。
衝突体６は、降下路３２ａの下流側に配置されている。
この衝突体６は、断面コ字形状をした一対の衝突体取付部３３を介して、筐体２に着脱可能に取り付けられている。
衝突体６は、筐体２に着脱可能に取り付けられているので、パチンコ玉３との衝突によって磨耗した衝突体６を、新しい衝突体６に容易に交換することができる。
衝突体６は、衝突体６のパチンコ玉３と衝突する面と、衝突体６に衝突する直前のパチンコ玉３の移動方向との間の角度が非垂直となるように、配置されている。
その他の構成は、衝突板１１および遮蔽板１３を備えていない点を除き、実施の形態１と同様である。
【００５８】
次に、この実施の形態に係る脱水装置１の動作について説明する。
まず、供給路５ａ内のパチンコ玉３は、供給路５ａを自重によって降下し、供給路５ａから降下路３２ａへ供給される。
降下路３２ａに供給されたパチンコ玉３は、降下路３２ａを自重によって降下し、重力によって加速されて、衝突体６に激突する。
パチンコ玉３と衝突体６との衝突により、パチンコ玉３には、短時間の速度変化による衝撃が生じ、この衝撃がパチンコ玉３の表面に付着した水の表面張力より大きい場合に、パチンコ玉３の表面に付着した水は、パチンコ玉３が受ける衝撃とは逆方向へパチンコ玉３から引き離され、パチンコ玉３が脱水される。
衝突体６に激突したパチンコ玉３は、筐体２の内側で跳ね上がり、傾斜した中底１２に受け止められて、排出部８によって筐体２から排出される。
パチンコ玉３から分離した水は、中底１２から落下して、排水部９によって筐体２から排出される。
【００５９】
この実施の形態に係る脱水装置１によれば、パチンコ玉３が、自重によって降下路３２ａを降下して、衝突体６に激突するので、パチンコ玉３を順次連続的に安定して脱水することができる。
また、衝突体６を加速させたり、パチンコ玉３を加速させたりするためのモータを備える必要がないので、エネルギー効率を向上させることができる。
【００６０】
なお、この実施の形態では、遮蔽体を備えない脱水装置１について説明したが、衝突体６に衝突した後のパチンコ玉３が移動する経路上に設けられた遮蔽体を備えた脱水装置１であってもよい。
この遮蔽体は、パチンコ玉３が通過可能な貫通孔が形成され、その他の部分を遮蔽し、例えば、衝突体６と中底１２との中間位置に垂直に立設された遮蔽板であり、衝突体６に衝突してパチンコ玉３から分離して飛び散った水滴が、遮蔽板で遮られて、中底１２に落下したパチンコ玉３に再付着することを抑制して、脱水効果を向上させることができる。
【００６１】
また、上記各実施の形態では、脱液体装置として、水を取り除く脱水装置１を例に説明したが、勿論このものに限らず、水以外の液体を取り除く脱液体装置であってもよい。
【００６２】
また、上記各実施の形態では、固体物として、パチンコ玉３またはコイン２５を例に説明したが、勿論このものに限らず、その他の個体物であってもよい。
【符号の説明】
【００６３】
１  脱水装置（脱液体装置）、２  筐体、３  パチンコ玉（固体物）、４  保持部、５  供給部、５ａ  供給路、６  衝突体（第１の衝突部）、７  衝突手段、８  排出部、８ａ  排出路、９  排水部、９ａ  排水路、１０  衝突板取付部、１１  衝突板（第２の衝突部）、１２  中底、１３  遮蔽板（遮蔽体）、１３ａ  貫通孔、１４  打撃部回転軸、１５  打撃部、１５ａ  ギヤ部、１６  打撃用ばね、１７  打撃用ばね固定部、１８  駆動軸、１９  駆動ギヤ、１９ａ  平面部、２０  打撃部ストッパ、２１  第１の衝突板（第２の衝突部）、２２  第１の衝突板取付部、２３  第２の衝突板（第３の衝突部）、２４  第２の衝突板取付部、２５  コイン（固体物）、２６  円盤回転軸、２７  円盤、２８  保持部、２９  案内レール、３０  回転体、３１  衝突体取付部、３２  降下部、３２ａ  降下路、３３  衝突体取付部。
【図１】
2010259537.tif 000003
【図２】
2010259537.tif 000004
【図３】
2010259537.tif 000005
【図４】
2010259537.tif 000006
【図５】
2010259537.tif 000007
【図６】
2010259537.tif 000008
【図７】
2010259537.tif 000009
【図８】
2010259537.tif 000010
【図９】
2010259537.tif 000011
【図１０】
2010259537.tif 000012
【図１１】
2010259537.tif 000013
【図１２】
2010259537.tif 000014